(57)【特許請求の範囲】
【請求項１】
受信信号を出力すると共に動作電源を受けるために受信器が備えている第１端子部と同じ機能を有し、同じ形状とされている第２端子部と、
前記第１端子部が接続可能とされ、前記第１端子部が接続された際に前記第１端子部と前記第２端子部とを接続するコネクタ部と、
補助アンテナからの受信信号が入力される入力端子と、
該入力端子のホット側に接続され、前記受信器が備えるアンテナに接続可能なクリップが先端に接続されているリード線とを備え、
前記入力端子のコールド側が前記第２端子部におけるグランドに接続されていることを特徴とする補助アンテナの接続器。
【請求項２】
受信信号を出力すると共に動作電源を受けるために受信器が備えている第１端子部と同じ機能を有し、同じ形状とされている第２端子部と、
前記第１端子部が接続可能とされ、前記第１端子部が接続された際に前記第１端子部と前記第２端子部とを接続するコネクタ部と、
補助アンテナからの受信信号が入力される入力端子と、
該入力端子のホット側に接続され、前記受信器の前記第１端子部が前記コネクタ部に接続された際に、前記受信器が備えるアンテナと電磁気的に結合する導電性のパターンが形成されている基板とを備え、
前記入力端子のコールド側が前記第２端子部におけるグランドに接続されていることを特徴とする補助アンテナの接続器。
【請求項３】
受信信号を出力すると共に動作電源を受けるために受信器が備えている第１端子部と同じ機能を有し、同じ形状とされている第２端子部と、
前記第１端子部が接続可能とされ、前記第１端子部が接続された際に前記第１端子部と前記第２端子部とを接続するコネクタ部と、
補助アンテナからの受信信号が入力される入力端子と、
該入力端子のホット側に接続され、前記受信器の前記第１端子部が前記コネクタ部に接続された際に、前記受信器が備えるアンテナと電磁気的に結合するよう前記アンテナが挿通される導電性の筒状部とを備え、
前記入力端子のコールド側が前記第２端子部におけるグランドに接続されていることを特徴とする補助アンテナの接続器。
【発明の詳細な説明】
【技術分野】
【０００１】
本発明は、アンテナを備える受信器に補助的にアンテナを接続する接続器に関する。
【背景技術】
【０００２】
地上デジタル放送で行なわれる携帯電話などの移動体向けの放送としてワンセグ放送（１セグメント放送）が知られている。我が国の地上デジタル放送方式では、１つのチャンネルが１３の「セグメント」に分割されており、これをいくつか束ねて映像やデータ、音声などを送信している。ハイビジョン放送（ＨＤＴＶ）は１２セグメントが必要となるが、通常画質のテレビジョン放送（ＳＤＴＶ）は４セグメントで済むため、３つの異なる番組を１つのチャンネルで同時に放送することができる。１３のセグメントのうち、１つのセグメントは移動体向け放送に予約されており、これを使って行っている放送がワンセグ放送である。ワンセグ放送の帯域は通常のテレビジョン放送の１／４と狭いため、ＱＶＧＡ（３２０×２４０ピクセル）サイズの低解像度の映像しか伝送できないが、携帯端末が備える通信機能やＧＰＳ機能等を利用することができるようになる。
【０００３】
ワンセグ放送を携帯機器で視聴するために、携帯機器に接続する外部機器としてアンテナを備えているワンセグチューナが知られている。ワンセグチューナは、一般にＵＳＢ（Universal Serial Bus）端子をインタフェースとして有しており、例えば、パーソナルコンピュータ（以下、「パソコン」という）のＵＳＢポートにワンセグチューナのＵＳＢ端子を接続することにより、ワンセグチューナで受信されたワンセグ放送の映像がパソコンのディスプレイに表示されると共に、音声がパソコンで再生されるようになる。この場合、ワンセグチューナの置かれる環境が屋内となる場合が多いため、ワンセグチューナに備えられているアンテナでは、屋外アンテナに比べ受信レベルが低くなると共に、屋内の家電機器などから発生するノイズ環境の影響を受けて更に受信環境は劣化するようになる。
【発明の開示】
【発明が解決しようとする課題】
【０００４】
この場合、ワンセグチューナに屋外アンテナ等を補助的に接続することができれば悪環境でも受信環境は改善されることは明らかである。しかし、一般にワンセグチューナにはロッドアンテナ等のアンテナのみが備えられており、屋外アンテナの受信信号を導く同軸ケーブルを接続する手段は備えられていない。すると、ワンセグチューナに屋外アンテナを接続する方法は図１５に示す方法となる。図１５に示す接続方法では、ワンセグチューナである受信器１００は本体部１００ａと、本体部１００ａにＵＳＢポートとされる端子部１００ｂが前面から突出して設けられている。また、本体部１００ａには、アンテナ１００ｃが起伏自在に取り付けられている。一方、屋外には八木アンテナ等とされる屋外アンテナ１０４が設置されており、屋外アンテナ１０４で受信された受信信号を導く同軸ケーブルとされるケーブル１０３が屋外アンテナ１０４から導出されている。このケーブル１０３の先端において、芯線にはリード線１０３ｂを介してみの虫クリップ等のクリップ１０３ａに接続されており、このクリップ１０３ａが受信器１００に備えられているアンテナ１００ｃを挟持することで接続されている。ただし、ケーブル１０３のアース側は受信器１００に接続する箇所がないため接続されていない。
【０００５】
図１５に示す接続方法で屋外アンテナ１０４が受信器１００に接続された場合に受信信号がどのくらいロスして受信器１００に入力されるかを示すロスの周波数特性を図１６に示す。ワンセグ放送を含む地上デジタル放送には４７０ＭＨｚ〜７７０ＭＨｚの周波数帯域が割り当てられており、図１６においてマーク１の周波数が４７０ＭＨｚ、マーク２の周波数が７７０ＭＨｚとされている。図１６を参照すると、周波数が高くなるにつれてロスが増大する傾向を示しており、上記周波数帯域において受信信号が−１０ｄＢないし−１４ｄＢもロスしていることがわかる。
このように、従来の接続方法では受信器１００に屋外アンテナ１０４等の補助アンテナを効率よく接続することができないという問題点があった
【０００６】
そこで、本発明はアンテナを備えている受信器に補助アンテナを効率よく接続することができる補助アンテナの接続器を提供することを目的としている。
【課題を解決するための手段】
【０００７】
上記目的を達成するために、本発明の補助アンテナの接続器は、受信信号を出力すると共に動作電源を受けるために受信器が備えている第１端子部と同じ機能を有し、同じ形状とされている第２端子部と、第１端子部が接続可能とされ、第１端子部が接続された際に第１端子部と第２端子部とを接続するコネクタ部と、補助アンテナからの受信信号が入力される入力端子と、該入力端子のホット側に接続され、受信器が備えるアンテナに接続可能なクリップが先端に接続されているリード線とを備え、入力端子のコールド側が第２端子部におけるグランドに接続されていることを最も主要な特徴としている。
【発明の効果】
【０００８】
本発明は、受信信号を出力すると共に動作電源を受けるために受信器が備えている第１端子部と同じ機能を有し、同じ形状とされている第２端子部と、第１端子部が接続可能とされ、第１端子部が接続された際に第１端子部と第２端子部とを接続するコネクタ部と、補助アンテナからの受信信号が入力される入力端子と、該入力端子のホット側に接続され、受信器が備えるアンテナに接続可能なクリップが先端に接続されているリード線とを備え、入力端子のコールド側が第２端子部におけるグランドに接続されていることから、クリップを受信器のアンテナに接続することで、補助アンテナの受信信号を効率良く受信器に入力することができるようになる。
なお、受信器が備えるアンテナに接続可能なクリップが先端に接続されているリード線に替えて、第１端子部がコネクタ部に接続された際に、受信器が備えるアンテナと電磁気的に結合するパターンあるいは筒状部としてもよい。
【発明を実施するための最良の形態】
【０００９】
本発明の第１実施例の補助アンテナの接続器を用いて受信器に屋外アンテナを接続する態様を図１に示し、第１実施例の接続器の構成を図２に示す。
図１および図２に示すように、第１実施例の接続器２は直方体状の絶縁性の本体部２ａを備え、本体部２ａの前面からは、例えばＵＳＢ端子とされる端子部２ｂが突出するよう設けられている。また、本体部２ａの背面には端子部２ｂと同種とされる端子部が挿入して装着されるコネクタ部２ｃが設けられており、本体部２ａの側面の一面に補助アンテナからの受信信号が入力される入力端子２ｄが設けられている。この入力端子２ｄのホット側にはリード線２ｅの一端が接続されており、本体部２ａからリード線２ｅが導出されてその先端にみの虫クリップ等のクリップ２ｆが設けられている。また、端子部２ｂは４本の端子から構成されており、４本の端子は＋Ｂ電源が供給される電源端子＋Ｂとグランド端子Ｇと、これらの端子に挟まれた２本のデータ端子ＤＡＴＡとされている。これらの４本の端子は、コネクタ部２ｃの同じ種類の端子に本体部２ａ内においてライン部２ｇによりそれぞれ接続されている。なお、入力端子２ｄのアースであるコールド側はライン部２ｇにおける端子部２ｂとコネクタ部２ｃのグランド端子Ｇ間を接続しているグランドラインに接続されている。
【００１０】
受信器１は、絶縁性の本体部１ａと、本体部１ａの前面から突出する端子部１ｂと、本体部１ａの側面に起伏自在に取り付けられたアンテナ１ｃから構成されている。この端子部１ｂは、接続器２における端子部２ｂと同種の端子部とされ、例えばＵＳＢ端子とされている。受信器１の本体部１ａに設けられたアンテナ１ｃはロッドアンテナとされ、本体部１ａに対して起伏自在に取り付けられ、２段以上に伸縮自在とされていても良い。本体部１ａにはワンセグチューナ回路が内蔵されており、アンテナ１ｃで受信された受信信号が復調されて映像信号と音声信号とを含む受信信号が端子部１ｂの２本のデータ端子ＤＡＴＡから出力される。また、受信器１の動作電源は端子＋Ｂとグランド端子Ｇとから供給される。
【００１１】
このように構成された第１実施例の接続器２において、コネクタ部２ｃに受信器１の端子部１ｂを装着すると、端子部１ｂがコネクタ部２ｃに接続され、この結果、接続器２の端子部２ｂは受信器１の端子部１ｂと電気的に直結されて同様の機能を奏するようになる。そこで、例えば接続器２の端子部２ｂをパソコンのＵＳＢポートに装着すると、接続器２を介して受信器１に動作電源が供給され、受信器１から出力される復調されたワンセグ放送の受信信号が接続器２の端子部２ｂから出力されて、ＵＳＢポートを介してパソコンに入力されるようになる。これにより、ワンセグ放送受信用のアプリケーションを立ち上げたパソコンにおいてワンセグ放送の映像がディスプレイに表示されると共に、音声が再生されるようになる。
【００１２】
ところで、接続器２の入力端子２ｄには屋外アンテナ４から導出された同軸ケーブルとされるケーブル３が接続されている。また、リード線２ｅの先端に設けられたクリップ２ｆが受信器１のアンテナ１ｃを挟持して取り付けられている。すると、屋外アンテナ４の受信信号は入力端子２ｄのホット側に接続されているリード線２ｅとクリップ２ｆを介してアンテナ１ｃに供給されるようになる。また、ケーブル３のアースは入力端子２ｄのコールド側に接続されたグランド端子Ｇに接続されるようになる。これにより、受信器１は屋外アンテナ４からの受信信号をロスすることなく効率良く受け取ることができるようになる。これにより、アンテナ１ｃだけでは不足する受信レベルを屋外アンテナ４により補助することができ、受信器１が屋内等の弱電界強度の環境にあっても確実にワンセグ放送を受信して復調することができるようになる。
【００１３】
第１実施例の接続器２を用いて受信器１に屋外アンテナ４を図１に示す態様で接続した場合に、屋外アンテナ４の受信信号がどのくらいロスして受信器１に入力されるかを示すロスの周波数特性を図７に示す。ワンセグ放送を含む地上デジタル放送には４７０ＭＨｚ〜７７０ＭＨｚの周波数帯域が割り当てられており、図７においてマーク１の周波数が４７０ＭＨｚ、マーク２の周波数が７７０ＭＨｚとされている。図７を参照すると、高域の周波数においてロスが減少する傾向を示しており、上記周波数帯域において最大でも約−２．８ｄＢしかロスしていないことがわかる。このように、第１実施例の接続器２を用いて受信器１のアンテナ１ｃに屋外アンテナ４を接続した場合は、屋外アンテナ４からの受信信号をほとんどロスすることなく効率良くアンテナ１ｃに供給することができるようになる。
【００１４】
次に、本発明の第２実施例の補助アンテナの接続器を用いて受信器に屋外アンテナを接続する態様を図３に示し、第２実施例の接続器の構成を図４に示す。
図３および図４に示すように、第２実施例の接続器１２は絶縁性の直方体状の本体部１２ａを備え、本体部１２ａの前面からは、例えばＵＳＢ端子とされる端子部１２ｂが突出するよう設けられている。また、本体部１２ａの背面には端子部１２ｂと同種とされる端子部が挿入して装着されるコネクタ部１２ｃが設けられており、本体部１２ａの側面の一面に補助アンテナからの受信信号が入力される入力端子１２ｄが設けられている。この入力端子１２ｄのホット側は、本体部１２ａの背面から延伸するよう突出して設けられている基板１２ｆの一面に形成されている導電性のパターン部１２ｅに接続されている。また、端子部１２ｂは４本の端子から構成されており、４本の端子は＋Ｂ電源が供給される電源端子＋Ｂとグランド端子Ｇと、これらの端子に挟まれた２本のデータ端子ＤＡＴＡとされている。これらの４本の端子は、コネクタ部１２ｃの同じ種類の端子に本体部１２ａ内においてライン部１２ｇによりそれぞれ接続されている。なお、入力端子１２ｄのアースであるコールド側はライン部１２ｇにおける端子部１２ｂとコネクタ部１２ｃのグランド端子Ｇ間を接続しているグランドラインに接続されている。
【００１５】
図３および図４に示す受信器１は、図１および図２に示す受信器１と同様とされているのでその説明は省略する。
このように構成された第２実施例の接続器１２において、コネクタ部１２ｃに受信器１の端子部１ｂを装着すると、端子部１ｂがコネクタ部１２ｃに接続され、この結果、接続器１２の端子部１２ｂは受信器１の端子部１ｂと電気的に直結されて同様の機能を奏するようになる。そこで、例えば接続器１２の端子部１２ｂをパソコンのＵＳＢポートに装着すると、接続器１２を介して受信器１に動作電源が供給され、受信器１から出力される復調されたワンセグ放送の受信信号が接続器１２の端子部１２ｂから出力されて、ＵＳＢポートを介してパソコンに入力されるようになる。これにより、ワンセグ放送受信用のアプリケーションを立ち上げたパソコンにおいて映像がディスプレイに表示されると共に、音声が再生されるようになる。
【００１６】
ところで、接続器１２の入力端子１２ｄには屋外アンテナ４から導出された同軸ケーブルとされるケーブル３が接続されている。また、コネクタ部１２ｃに受信器１の端子部１ｂを装着した際に、受信器１に設けられているアンテナ１ｃが基板１２ｆの一面に形成されているパターン部１２ｅと図３および図４に示すように対向し、アンテナ１ｃとパターン部１２ｅとが電磁気的に結合するようになる。すると、屋外アンテナ４の受信信号は入力端子１２ｄのホット側に接続されているパターン部１２ｅを介してアンテナ１ｃに供給されるようになる。また、ケーブル３のアースは入力端子１２ｄのコールド側に接続されたグランド端子Ｇに接続されるようになる。これにより、受信器１は屋外アンテナ４からの受信信号をロスすることなく効率良く受け取ることができるようになる。これにより、アンテナ１ｃだけでは不足する受信レベルを屋外アンテナ４により補助することができ、受信器１が屋内等の弱電界強度の環境にあっても確実にワンセグ放送を受信して復調することができるようになる。
【００１７】
第２実施例の接続器１２を用いて受信器１に屋外アンテナ４を図３に示す態様で接続した場合に、屋外アンテナ４の受信信号がどのくらいロスして受信器１に入力されるかを示すロスの周波数特性を図８に示す。この場合、基板１２ｆはガラス布エポキシ基板とされ、長手方向の長さは約１００ｍｍ、幅は約３０ｍｍ、厚さは約１．６ｍｍとされる。また、パターン部１２ｅの長さは約１００ｍｍとされている。図８においてマーク１の周波数が４７０ＭＨｚ、マーク２の周波数が７７０ＭＨｚとされている。図８を参照すると、地上デジタル放送の周波数帯域の全体にわたりほぼ一定のロスとなっており、地上デジタル放送の周波数帯域において最大でも約−２．６ｄＢしかロスしていないことがわかる。このように、第２実施例の接続器１２を用いて受信器１のアンテナ１ｃに屋外アンテナ４を接続した場合は、屋外アンテナ４からの受信信号をほとんどロスすることなく効率良くアンテナ１ｃに供給することができるようになる。
【００１８】
次に、本発明の第３実施例の補助アンテナの接続器を用いて受信器に屋外アンテナを接続する態様を図５に示し、第３実施例の接続器の構成を図６に示す。
図５および図６に示すように、第３実施例の接続器２２は絶縁性の直方体状の本体部２２ａを備え、本体部２２ａの前面からは、例えばＵＳＢ端子とされる端子部２２ｂが突出するよう設けられている。また、本体部２２ａの背面には端子部２２ｂと同種とされる端子部が挿入して装着されるコネクタ部２２ｃが設けられており、本体部２２ａの側面の一面に補助アンテナからの受信信号が入力される入力端子２２ｄが設けられている。この入力端子２２ｄのホット側は、本体部２２ａの背面から延伸するよう突出して設けられている導電性とされる筒状の筒状部２２ｅに接続されている。また、端子部２２ｂは４本の端子から構成されており、４本の端子は＋Ｂ電源が供給される電源端子＋Ｂとグランド端子Ｇと、これらの端子に挟まれた２本のデータ端子ＤＡＴＡとされている。これらの４本の端子は、コネクタ部２２ｃの同じ種類の端子に本体部２２ａ内においてライン部２２ｇによりそれぞれ接続されている。なお、入力端子２２ｄのアースであるコールド側はライン部２２ｇにおける端子部２２ｂとコネクタ部２２ｃのグランド端子Ｇ間を接続しているグランドラインに接続されている。
【００１９】
図５および図６に示す受信器１は、図１および図２に示す受信器１と同様とされているのでその説明は省略する。
このように構成された第３実施例の接続器２２において、コネクタ部２２ｃに受信器１の端子部１ｂを装着すると、端子部１ｂがコネクタ部２２ｃに接続され、この結果、接続器２２の端子部２２ｂは受信器１の端子部１ｂと電気的に直結されて同様の機能を奏するようになる。そこで、例えば接続器２２の端子部２２ｂをパソコンのＵＳＢポートに装着すると、接続器２２を介して受信器１に動作電源が供給され、受信器１から出力される復調されたワンセグ放送の受信信号が接続器２２の端子部２２ｂから出力されて、ＵＳＢポートを介してパソコンに入力されるようになる。これにより、ワンセグ放送受信用のアプリケーションを立ち上げたパソコンにおいて映像がディスプレイに表示されると共に、音声が再生されるようになる。
【００２０】
ところで、接続器２２の入力端子２２ｄには屋外アンテナ４から導出された同軸ケーブルとされるケーブル３が接続されている。また、コネクタ部２２ｃに受信器１の端子部１ｂを装着した際に、受信器１に設けられているアンテナ１ｃが筒状部２２ｅの貫通孔内に図５，図６に示すように挿通されて、アンテナ１ｃと筒状部２２ｅとが電磁気的に結合するようになる。すると、屋外アンテナ４の受信信号は入力端子２２ｄのホット側に接続されている筒状部２２ｅを介してアンテナ１ｃに供給されるようになる。また、ケーブル３のアースは入力端子２２ｄのコールド側に接続されたグランド端子Ｇに接続されるようになる。これにより、受信器１は屋外アンテナ４からの受信信号をロスすることなく効率良く受け取ることができるようになる。これにより、アンテナ１ｃだけでは不足する受信レベルを屋外アンテナ４により補助することができ、受信器１が屋内等の弱電界強度の環境にあっても確実にワンセグ放送を受信して復調することができるようになる。
【００２１】
第３実施例の接続器２２を用いて受信器１に屋外アンテナ４を図５に示す態様で接続した場合に、屋外アンテナ４の受信信号がどのくらいロスして受信器１に入力されるかを示すロスの周波数特性を図９に示す。この場合、筒状部２２ｅの長さは約１００ｍｍ、外径は約４ｍｍとされる。図９においてマーク１の周波数が４７０ＭＨｚ、マーク２の周波数が７７０ＭＨｚとされている。図９を参照すると、地上デジタル放送の周波数帯域の全体にわたりほぼ一定のロスとなっており、地上デジタル放送の周波数帯域において最大でも約−２．５ｄＢしかロスしていないことがわかる。このように、第３実施例の接続器２２を用いて受信器１のアンテナ１ｃに屋外アンテナ４を接続した場合は、屋外アンテナ４からの受信信号をほとんどロスすることなく効率良くアンテナ１ｃに供給することができるようになる。
なお、第１実施例の接続器１、第２実施例の接続器１２、第３実施例の接続器２２には、屋内に設けた室内アンテナを補助アンテナとするように、室内アンテナから導出されたケーブルを接続するようにしてもよい。
【００２２】
次に、本発明にかかる第１実施例ないし第３実施例の接続器における変形例の構成を図１０に示す。
図１０に示す接続器３２においては、受信器１のアンテナ１ｃに接続する接続手段は省略して示している。変形例の接続器３２は、例えばＵＳＢ端子とされる端子部３２ｂと、端子部３２ｂと同種とされる端子部が挿入して装着されるコネクタ部３２ｃを備えており、さらに、補助アンテナからの受信信号が入力される入力端子３２ｄを備えている。この入力端子３２ｄのホット側は制御回路４１の入力に接続されており、補助アンテナからの受信信号のレベルが制御回路４１によりゲインコントロールされ、制御回路４１の出力は増幅器（ＡＭＰ）４２に印加されて増幅される。これにより、受信信号のレベルが所定値とされる。この受信信号は、使用周波数帯域を抽出するフィルタ４３を介して出力されるようになる。この出力は接続手段へ供給されるが、接続手段は先端にクリップ２ｆが接続されているリード線２ｅ、基板１２ｆ上に形成されているパターン部１２ｅあるいは筒状部２２ｅとされる。
【００２３】
また、端子部３２ｂは４本の端子から構成されており、４本の端子は＋Ｂ電源が供給される電源端子＋Ｂとグランド端子Ｇと、これらの端子に挟まれた２本のデータ端子ＤＡＴＡとされている。これらの４本の端子は、コネクタ部３２ｃの同じ種類の端子にライン部３２ｇによりそれぞれ接続されている。なお、入力端子３２ｄのアースであるコールド側はライン部３２ｇにおける端子部３２ｂとコネクタ部３２ｃのグランド端子Ｇ間を接続しているグランドラインに接続されている。また、ＡＭＰ４２には＋Ｂ電源が動作電源として供給される。
【００２４】
ここで、受信器１が屋内にある場合にアンテナ１ｃで受信したワンセグ放送の各チャンネルの受信レベルの一例を図１１に示す。図１１を参照すると、屋内は弱電界の環境とされてほとんどのチャンネルにおいて受信レベルが低下して約４０ｄＢμＶに達しておらず、安定して受信できるチャンネルは図１４に示す表のようにＣＨ２２，ＣＨ２４，ＣＨ２７となり、不安定ながら受信できるチャンネルはＣＨ２３，ＣＨ２６、受信できないチャンネルはＣＨ２０，ＣＨ２１，ＣＨ２５となる。なお、ＣＨ２８ではワンセグ放送を行っていない。
【００２５】
また、屋内に室内アンテナを設置し、この室内アンテナで受信したワンセグ放送の各チャンネルの受信レベルの一例を図１２に示す。図１２を参照すると、ほとんどのチャンネルにおいて受信レベルが約５０ｄＢμＶまで向上している。この室内アンテナを受信器１の補助アンテナとするように、受信器１を装着した本発明の第１実施例ないし第３実施例のいずれかの接続器の入力端子に室内アンテナから導出したケーブルを接続する。これにより、受信器１において安定して受信できるチャンネルは図１４に示す表のようにＣＨ２２ないしＣＨ２７となり、不安定ながら受信できるチャンネルはＣＨ２１、受信できないチャンネルはＣＨ２０のみとなる。
【００２６】
さらに、屋外に屋外アンテナ４を設置し、この屋外アンテナ４で受信したワンセグ放送の各チャンネルの受信レベルの一例を図１３に示す。図１３を参照すると、ほとんどのチャンネルにおいて受信レベルが約７５ｄＢμＶまで向上している。この屋外アンテナを受信器１の補助アンテナとするように、受信器１を装着した本発明の第１実施例ないし第３実施例のいずれかの接続器の入力端子に屋外アンテナ４から導出したケーブルを接続する。これにより、受信器１において安定して受信できるチャンネルは図１４に示す表のようにＣＨ２０ないしＣＨ２７のワンセグ放送をしている全チャンネルとなる。
図１４に示すように、ほとんどのチャンネルにおいて安定してワンセグ放送を受信できない状態の受信器１を、本発明の第１実施例ないし第３実施例の接続器２，１２，２２のいずれかに装着して、室内アンテナあるいは屋外アンテナ４を受信器１の補助アンテナとして使用することにより、ほとんどのチャンネルにおいて安定してワンセグ放送を受信することができるようになる。
【産業上の利用可能性】
【００２７】
上記した本発明にかかる第３実施例の接続器２２において、筒状部２２ｅは円筒状としたがこれに限ることはなく、断面が四角の筒状としたり、断面がコ字状の筒状とすることができる。すなわち、筒状部２２ｅの形状は、筒状部２２ｅ内にアンテナ１ｃが挿通された際に、筒状部２２ｅとアンテナ１ｃとが電磁気的に結合できる形状であればよい。
以上説明した本発明にかかる接続器を使用することにより、ワンセグチューナにおいて受信レベルを高くすることのできる室内アンテナや屋外アンテナを補助アンテナとして使用することができるようになる。これにより、ワンセグチューナが室内等の弱電界強度の環境にあっても安定してワンセグ放送を受信することができるようになる。
また、本発明にかかる接続器はワンセグチューナに使用することができるだけでなく、パソコンに接続可能なＵＳＢ端子等のインタフェースを備える他のチューナに使用することもできる。
【図面の簡単な説明】
【００２８】
【図１】本発明の第１実施例の補助アンテナの接続器を用いて受信器に屋外アンテナを接続する態様を示す図である。
【図２】本発明の第１実施例の補助アンテナの接続器の構成を示す図である。
【図３】本発明の第２実施例の補助アンテナの接続器を用いて受信器に屋外アンテナを接続する態様を示す図である。
【図４】本発明の第２実施例の補助アンテナの接続器の構成を示す図である。
【図５】本発明の第３実施例の補助アンテナの接続器を用いて受信器に屋外アンテナを接続する態様を示す図である。
【図６】本発明の第３実施例の補助アンテナの接続器の構成を示す図である。
【図７】本発明の第１実施例の接続器を用いて受信器に屋外アンテナを接続した場合のロスの周波数特性を示す図である。
【図８】本発明の第２実施例の接続器を用いて受信器に屋外アンテナを接続した場合のロスの周波数特性を示す図である。
【図９】本発明の第３実施例の接続器を用いて受信器に屋外アンテナを接続した場合のロスの周波数特性を示す図である。
【図１０】本発明にかかる第１実施例ないし第３実施例の接続器の変形例の構成を示す図である。
【図１１】受信器が屋内にある場合のワンセグ放送の各チャンネルの受信レベルの一例を示す図である。
【図１２】室内アンテナで受信したワンセグ放送の各チャンネルの受信レベルの一例を示す図である。
【図１３】屋外アンテナで受信したワンセグ放送の各チャンネルの受信レベルの一例を示す図である。
【図１４】屋内にある受信器と、本発明にかかる接続器を使用して室内アンテナおよび屋外アンテナを補助アンテナとした受信器における各チャンネルの受信状況を示す表である。
【図１５】受信器に屋外アンテナを接続する従来の方法を示す図である。
【図１６】従来の方法で受信器に屋外アンテナを接続した場合のロスの周波数特性を示す図である。
【符号の説明】
【００２９】
１  受信器、１ａ  本体部、１ｂ  端子部、１ｃ  アンテナ、２  接続器、２ａ  本体部、２ｂ  端子部、２ｃ  コネクタ部、２ｄ  入力端子、２ｅ  リード線、２ｆ  クリップ、２ｇ  ライン部、３  ケーブル、４  屋外アンテナ、１２  接続器、１２ａ  本体部、１２ｂ  端子部、１２ｃ  コネクタ部、１２ｄ  入力端子、１２ｅ  パターン部、１２ｆ  基板、１２ｇ  ライン部、２２  接続器、２２ａ  本体部、２２ｂ  端子部、２２ｃ  コネクタ部、２２ｄ  入力端子、２２ｅ  筒状部、２２ｇ  ライン部、３２  接続器、３２ｂ  端子部、３２ｃ  コネクタ部、３２ｄ  入力端子、３２ｇ  ライン部、４１  制御回路、４２  増幅器、４３  フィルタ、１００  受信器、１００ａ  本体部、１００ｂ  端子部、１００ｃ  アンテナ、１０３  ケーブル、１０３ａ  クリップ、１０３ｂ  リード線、１０４  屋外アンテナ
【図１】
0005042003.tif 000002
【図２】
0005042003.tif 000003
【図３】
0005042003.tif 000004
【図４】
0005042003.tif 000005
【図５】
0005042003.tif 000006
【図６】
0005042003.tif 000007
【図７】
0005042003.tif 000008
【図８】
0005042003.tif 000009
【図９】
0005042003.tif 000010
【図１０】
0005042003.tif 000011
【図１１】
0005042003.tif 000012
【図１２】
0005042003.tif 000013
【図１３】
0005042003.tif 000014
【図１４】
0005042003.tif 000015
【図１５】
0005042003.tif 000016
【図１６】
0005042003.tif 000017